(57)【要約】      （修正有）【課題】カバー内面に土が付着し難いコンパクトなロータリカバー装置を提供する。【解決手段】耕耘機のロータリ用ミッションケース３４に固定するための取着部５と、取着部５に配着したサイドカバー２と、サイドカバー２に下側から重なるように配設したスライドカバー３と、スライドカバー３の外端部に取着した外カバー４とを備え、サイドカバー２及びスライドカバー３は円筒半径Ｒが耕耘爪３２の先端部の回転半径ｒより２７ｍｍ大きい半円筒状に形成し、サイドカバー２とスライドカバー３との間の前後２箇所にスライドカバー３の出没と固定とが可能なスライド固定部６を設け、スライド固定部６はスライドカバー３に設けた左右方向に細長いスライド長孔１０からサイドカバー３に設けたボルト固定孔１３へ貫挿させた出没調節ボルトに蝶ナット８を螺着すると共にスライドカバー３のスライド長孔１０の周囲を平坦面１１に形成する。【選択図】図２
0003207476.tif 000002
【実用新案登録請求の範囲】
【請求項１】
耕耘機のロータリ用ミッションケースに固定するための取着部と、該取着部の左右に配着したサイドカバーと、該サイドカバーに下側から重なるように配設した左右のスライドカバーと、該スライドカバーの外端部に配着した左右の外カバーとを備え、
前記サイドカバー及びスライドカバーは、ロータリの回転軸を中心とした耕耘爪の先端部の回転半径より１５〜３５ｍｍ大きい円筒半径の上側半円筒状に形成し、
前記左右のサイドカバーと左右のスライドカバーの前側の略中間部位と後側の略中間部位に、スライドカバーをサイドカバーの外端部から外側へ出没可能とすると共に出没位置にて固定可能とするスライド固定部を設け、
該スライド固定部は、前記スライドカバーに左右方向に細長いスライド長孔を設けると共に前記サイドカバーに前記スライド長孔との対応部位にボルト固定孔を設け、前記スライドカバーのスライド長孔の周囲を平坦面に形成し、前記スライド長孔からボルト固定孔へ貫挿させた出没調節ボルトに蝶ナットを螺着したことを特徴とするロータリカバー装置。
【請求項２】
スライドカバーの内面と出没調節ボルトのボルト頭との間に、スライド長孔が隠れる長さと幅を有し且つ取着部側の端部寄り部位にボルト拘束孔を備えた長孔遮蔽板を挟んで、該ボルト拘束孔に出没調節ボルトを差し込んで配着し、前記スライドカバーの内面に、前記長孔遮蔽板を前記スライド長孔の長手方向のみスライド可能に拘束するガイド段差を形成すると共に前記スライドカバーの内面の前記長孔遮蔽板が接触可能となる範囲を平坦面に形成したことを特徴とする請求項１に記載のロータリカバー装置。
【請求項３】
サイドカバーのボルト固定孔をスライドカバーのスライド長孔の長さ方向に細長く形成したことを特徴とする請求項１又は２に記載のロータリカバー装置。
【請求項４】
取着部に、ヒンジを介してサイドカバーを上下擺動可能に取着とすると共に該サイドカバーを上下任意の角度に固定可能とする角度調節固定部を備えたことを特徴とする請求項１から３のうちいずれかに記載のロータリカバー装置。
【考案の詳細な説明】
【技術分野】
【０００１】
本考案は耕耘機のロータリ部分を覆い、左右スライド式のカバー出没機能を備えたロータリカバー装置に関する。
【背景技術】
【０００２】
通常、耕耘機にはロータリの回転で掻き上げられた土が周囲に飛散するのを防ぐためのカバーが設けられるが、土の拡散範囲を変えるために、機体側に固定された左右のサイドカバーにスライドカバーを重ねて配し、カバー面に左右に長いスライド長孔を形成して該スライド長孔にボルトを貫着し、該ボルトの緊緩でスライドカバーの外側への出没と、その位置での固定とを可能としたロータリカバー装置が使用されている。
【０００３】
該ロータリカバー装置は、スライドカバーの円滑な出没と、その出没位置での確実な固定とが可能となるように、カバーの中央上部の板面を平坦面に形成すると共に該平坦面に２個のスライド長孔を前後に離して形成している。
このため、例えば、下記特許文献１の及び特許文献１の側面図に示される如く、側面視ではカバーの平坦面の前後がロータリを囲うように斜め下方に折り曲げられてロータリカバー全体としては、図８に示すように、台形上部形状となる。
このようにロータリカバーが上記台形形状の場合には、図８に示すように、平坦面の前後の折り曲げ部分の内部に土の付着し易い土溜まりＡ、Ｂが形成され、該土溜まりＡ、Ｂにロータリで掻き上げられた土が入ると、耕耘爪の回転による遠心力や風圧を受けて土は連続的に押し固められて次第に厚く育ち、カバー内面に強くこびり着いてしまい、耕耘作業後にその土を剥がしたり、洗浄したりするのが容易ではない。
又、折り曲げ部分が上に膨らんで嵩張るため、ロータリカバー全体のコンパクト化が困難となっていた。
【先行技術文献】
【特許文献】
【０００４】
【特許文献１】特開２００４−８９０８４号公報
【特許文献２】特開２００１−８５０１号公報
【考案の概要】
【考案が解決しようとする課題】
【０００５】
そこで、本考案は、左右外側へ出没可能なスライドカバーを備えたロータリカバーにおいて、スライドカバーの円滑な出没と確実な固定とが可能となり、又、カバーの内面に土が殆ど付着せず、カバー全体のコンパクト化が可能となるロータリカバー装置を提供することを目的とする。
【課題を解決するための手段】
【０００６】
上記目的を達成するため、本考案のロータリカバー装置は、耕耘機のロータリ用ミッションケースに固定するための取着部と、該取着部の左右に配着したサイドカバーと、該サイドカバーに下側から重なるように配設した左右のスライドカバーと、該スライドカバーの外端部に配着した左右の外カバーとを備え、前記サイドカバー及びスライドカバーは、ロータリの回転軸を中心とした耕耘爪の先端部の回転半径より１５〜３５ｍｍ大きい円筒半径の上側半円筒状に形成し、前記左右のサイドカバーと左右のスライドカバーの前側の略中間部位と後側の略中間部位に、スライドカバーをサイドカバーの外端部から外側へ出没可能とすると共に出没位置にて固定可能とするスライド固定部を設け、該スライド固定部は、前記スライドカバーに左右方向に細長いスライド長孔を設けると共に前記サイドカバーに前記スライド長孔との対応部位にボルト固定孔を設け、前記スライドカバーのスライド長孔の周囲を平坦面に形成し、前記スライド長孔からボルト固定孔へ貫挿させた出没調節ボルトに蝶ナットを螺着したことを特徴とする。
【０００７】
請求項２に記載の考案は、上記考案において、前記スライドカバーの内面と出没調節ボルトのボルト頭との間に、スライド長孔が隠れる長さと幅を有し且つ取着部側の端部寄り部位にボルト拘束孔を備えた長孔遮蔽板を挟んで、該ボルト拘束孔に出没調節ボルトを差し込んで配着し、前記スライドカバーの内面に、前記長孔遮蔽板を前記スライド長孔の長手方向のみスライド可能に拘束するガイド段差を形成すると共に前記スライドカバーの内面の前記長孔遮蔽板が接触可能となる範囲を平坦面に形成したことを特徴とする。
【０００８】
請求項３に記載の考案は、上記考案において、前記サイドカバーのボルト固定孔を前記スライドカバーのスライド長孔の長さ方向に細長く形成したことを特徴とする。
【０００９】
請求項４に記載の考案は、上記考案において、前記取着部に、ヒンジを介して前記サイドカバーを上下擺動可能に取着とすると共に該サイドカバーを上下任意の角度に固定可能とする角度調節固定部を備えたことを特徴とする。
【考案の効果】
【００１０】
本考案のロータリカバー装置は、半円筒形のサイドカバーとスライドカバーの前後２箇所に設けたスライド固定部により、サイドカバーの下側のスライドカバーが左右外側へ出没可能となり、その際、スライドカバーのスライド長孔の周囲は平坦面に形成されているので、サイドカバーに対してスライドカバーが前後に振れることがなく円滑で安定したスライドと確実な固定とが可能となる。
又、サイドカバー及びスライドカバーはロータリの回転軸を中心とした半円筒形としたことで、従来の台形状のロータリカバーと比較するとカバー内面に土溜まり空間を発生しないためカバー内面に土が殆ど付着しなくなり、又、土溜まり空間がなくなるので大幅なコンパクト化が可能となる。
その際、前記スライドカバーの円筒半径を、ロータリの耕耘爪の先端部の回転半径に対して１５〜３０ｍｍを加算した値にしたことで、スライドカバーの内面と耕耘爪の先端部との間に飛び散った土は、カバー内面に一旦付着しても回転する耕耘爪の先端部の風圧及び回転方向の土の擦過によって綺麗に削ぎ落とされるため土がカバー内面にこびり着くのが防止可能となる。そしてその際に、スライドカバーの内面と耕耘爪の先端部との間隔は１５ｍｍ以上の間隔があるので、耕耘爪の先端部との間を通過する砂礫や土の塊からのダメージを耕耘爪が受けることなく、ロータリによる円滑な耕耘が可能となる。
そして、前記スライドカバーをロータリの耕耘爪の先端部から１５ｍｍまで近付けることで、ロータリカバー全体をより小さくコンパクト化することが可能となる。
【００１１】
請求項２に記載の考案は、前記スライドカバーに設けたガイド段差の拘束によって、長孔遮蔽板が前後方向には移動されずに前記スライド長孔の長手方向のみ確実に移動可能となる。
その際、スライドカバーに設けたスライド長孔は下から長孔遮蔽板で覆われるので、耕耘爪で掻き上げられた土埃が前記スライド長孔から上へ漏れ出すのが防止される。
又、スライド長孔に沿って移動可能となる長孔遮蔽板は、スライドカバーに形成されたスライド長孔周囲の該長孔遮蔽板が接触可能となる範囲に形成した平坦面によって、サイドカバーに対してスライドカバーが前後に振れることがなく円滑で安定したスライドが可能となる。
【００１２】
請求項３に記載の考案は、前記サイドカバーのボルト固定孔を長く形成したこと、出没調節ボルトに対してその長さ分サイドカバーが大きくスライド可能となる。
即ち、サイドカバーがスライド長孔の長さ分スライド可能となるだけではなく、そのスライド長孔の長さに加えた前記サイドカバーのボルト固定孔の長さ分だけ外側により大きく突出可能となり、この結果、ロータリの外側の空間を左右に大きく広げることで掻き上げた土を側方へより多く拡散させることが可能となる。
【００１３】
請求項４に記載の考案は、ヒンジを介して上下擺動可能となるサイドカバーが角度調節部によって、該スライドカバーの外側を高く傾斜させて固定することが可能となり、この結果、ロータリの上部の空間を上に広げることで掻き上げた土を側方へより広く拡散させることが可能となる。
【図面の簡単な説明】
【００１４】
【図１】本考案の使用状態を示す側面図である。
【図２】本考案の縦断側面図である。
【図３】スライドカバーがサイドカバー下に没した状態を示す斜視図である。
【図４】スライドカバーがサイドカバーから突出した状態を示す斜視図である。
【図５】スライドカバーの外側を上げて傾斜させた状態を示す斜視図である。
【図６】スライド固定部をスライドカバーの下から見た要部の縦断斜視図である。
【図７】（イ）はスライドカバーがサイドカバー下に没した状態を示し、（ロ）はスライドカバーがサイドカバーから突出した状態を示し、（ハ）はスライドカバーがサイドカバーから最大に突出した状態を示すスライド固定部をスライドカバーの下から見た要部の各斜視図である。
【図８】従来のロータリカバー装置の模式的縦断側面図である。
【考案を実施するための形態】
【００１５】
本考案のロータリカバー装置の実施の形態を図を参照して以下説明する。
本考案が使用される歩行型の耕耘機は、図１に示すように、機体３０の上部に後斜め後方へ突出させたハンドル３７と、中央下部に設けた駆動輪３５と、下部後方に設けたロータリ３１とを備え、該ロータリ３１の耕耘爪３２を回転させる回転軸３３が、ミッションを介してエンジンに接続され、エンジンに動力で耕耘爪３２を回転させて農地の耕耘が可能となる。  
なお、図１中の符号３６は深さ調節板３６ａを備えた耕耘深さ調節部３６であり、該深さ調節板３６ａを上げ下げすることで農地に対する耕耘爪３２の高さを調節して耕耘する深さが決められる。
そして、前記ミッションはミッションケース３４内に収納される。
【００１６】
本考案のロータリカバー装置は、前記耕耘機の耕耘爪３２の回転で掻き上げられた土を周囲に飛散させないため、ロータリ３１を覆うように前記ミッションケース３４又は機体３０に装着される。
なお、本ロータリカバー装置を機体３０に装着する場合には、機体３０からロータリ３１の上方にまで届くカバー支持体（図省略）を設けることで、ロータリカバー装置の装着が可能となる。
【００１７】
本ロータリカバー装置をミッションケース３４に装着する場合は、図２に示すように、前記ミッションケース３４のロータリ３１の回転軸３３側の上部に固定台支持部２８を設け、該固定台支持部２８の上面に矩形の固定台２９を水平に設置する。そして、図３に示すように、該固定台２９の上面に設けたボルト孔に連通する固定ボルト孔５ａを備えた平坦な板状の取着部５を前記固定台２９上に重ね合わせ、前記固定ボルト孔５ａに固定ボルト（図省略）を螺着して、本ロータリカバー装置をミッションケース３４に装着する。
【００１８】
本ロータリカバー装置は、図３に示すように、前記ミッションケース３４に装着するための取着部５と、前記ロータリ３１の左右両側の耕耘爪３２の上側を覆うように取着部５の左右両側に突出状態に配設された左右のサイドカバー２、２と、該サイドカバー２、２の下側に重なるように配設され、前記サイドカバー２、２の外端部２ａから外側へ夫々出没可能とした左右のスライドカバー３、３と、前記ロータリ３１の耕耘爪３２の両外側を覆うように前記スライドカバー３、３の外側に取着された左右の外カバー４、４とを備える。
【００１９】
図３には、ロータリ３１のミッションケース３４を取着部５の前後で覆うように中央カバー１を備えた態様を示しているが、この態様では、前記ロータリ３１のミッションケース３４に設けた固定台２９に対して中央カバー１に設けた取着部５にサイドカバー２、２が固定される。
該中央カバー１は、前記取着部５の前側と後側のカバー面で耕耘機爪３２の回転軸３３を内蔵した部分のミッションケース３４を覆い、前側のカバー面には、図３に示すように、最適な位置で前記ミッションケース３４に装着できるように、ミッションケース３４が当る部分にはコ字形に切欠した開口部２４を設ける。
【００２０】
又、前記外カバー４は、溶接して前記スライドカバー３の外端部３ａに夫々固着しても良いが、ヒンジを介して前記スライドカバー３の外側に開閉可能に装着する態様（図示せず）も可能である。
なお、図４中の符号２６ａ、２６ｂ、２６ｃはゴム製等の柔軟な泥避けシートであり、前記サイドカバー２、スライドカバー３及び中央カバー１の後部の下辺部に夫々段差を設けて泥避けシート固着部２５を形成し、前記各泥避けシート２６ａ、２６ｂ、２６ｃの上部を鋲２７で固着して吊り下げる。
【００２１】
そして、本考案では、図２に示すように、前記中央カバー１、左右のサイドカバー２、左右のスライドカバー３は、いずれも前記ロータリ３１の回転軸３３を中心とした上側半円筒形に形成し、左右の外カバー４は、前記スライドカバー３の半円筒形の内側に収まる上部側半円形に形成する。
それらの円形形状は正確に半円形である必要はなく、例えば、図２に示すように、僅かに劣弧状としても良く、又、一部に段差面等の凹凸や平面を形成しても良い。
【００２２】
そして、前記スライドカバー３の円筒形の径は、ロータリ３１の耕耘爪３２の先端部３２ａの回転軌跡Ｋの回転半径ｒに対して１５〜３０ｍｍを加算した円筒半径Ｒに納まるように設定する。
例えば、回転軌跡Ｋの回転半径ｒが１７５ｍｍの場合、２７ｍｍを加算すれば、前記スライドカバー３の円筒半径Ｒは２０２ｍｍとなる。
【００２３】
しかしながら、前記ロータリ３１の耕耘爪３２の先端部３２ａの回転軌跡Ｋの回転半径ｒに加算する数値が１５ｍｍ未満であると、耕耘爪３２の先端部３２ａとスライドカバー３の内周面との間に小石や土の塊が挟まって耕耘爪３２が損傷を受けることがあるので好ましくない。又、その数値が３５ｍｍを超える数値であると、耕耘爪３２の回転による土が弾き飛ばしによる削ぎ落とし効果が減少し、カバー内面に土の付着が発生するおそれが生じるので好ましくない。
【００２４】
又、図８に示すように、従来のロータリカバー装置Ｊは、サイドカバーａとスライドカバーｂが台形上部の形状を成しているので上部の前後のコーナー部分に土溜まりＡ、Ｂが形成される。
この土溜まりＡ、Ｂは耕耘爪の先端部から離れるために耕耘爪の回転で弾かれる土の擦過力が弱く、一旦付着した土が削ぎ落としきれずに土が多量に溜まって付着し、耕耘爪の風力と遠心力で押し固められる結果、その土が硬く閉まって落し難くなってしまう。
又、そのコーナー部分の上への膨らみによってロータリカバーＪが上方へ大きく嵩張ってしまい、コンパクト化するための障害となっていた。
これに対して、本考案では耕耘爪３２の先端部３２ａの回転半径ｒに対して１５〜３０ｍｍを加算した最小接近限度に近い範囲の円筒半径Ｒの半円筒形としたので、土溜まりが全く形成されず、且つ全体をコンパクト化することが可能となる。
【００２５】
そして、前記スライドカバー３の前記円筒半径Ｒでは、スライドカバー３の内面と耕耘爪３２の先端部３２ａとの間が狭いので、回転する耕耘爪３２の先端部３２ａの回転で回転方向に弾き飛ばされる土の塊や砂礫の粒子の擦過によって表面に一旦付着した土が削ぎ落とされ、土の付着が防止され、又その際に、スライドカバー３の内面と耕耘爪３２の先端部３２ａとには１５ｍｍ以上の間隔があるので、耕耘爪の先端部３２ａとの間に挟まれる砂礫や土の塊から受けるダメージは避けられるため、農地の円滑な耕耘が可能となる。
【００２６】
そして本考案では、左右のサイドカバー２、２と左右のスライドカバー３、３とには、図４に示すように、該サイドカバー２、２の下側（内側）にスライドカバー３、３の板面が重なって左右側方へ出没し、任意の突出位置に固定可能とするスライド固定部６を設ける。
【００２７】
該スライド固定部６は、図３及び図４に示すように、左右のサイドカバー２、２の外端部２ａ寄りの板面の前側中間部位と後側中間部位にはボルト固定孔１３を夫々設け、又該左右のサイドカバー２、２の内側に板面が夫々重なるように配された左右のスライドカバー３、３には前記サイドカバー２のボルト固定孔１３と連通する位置に左右方向に長いスライド長孔１０を形成する。
又、図７に示すように、前記スライドカバー３の下側（内側）には、前記スライド長孔１０が隠れる長さと幅を有し且つ前記取着部５寄り部位にボルト拘束孔９ａを設けた長孔遮蔽板９を配設する。
該長孔遮蔽板９は耕耘爪３２で掻き上げた土埃が前記スライド長孔１０から上へ漏れ出るのを防止する。
【００２８】
そして、図６に示すように、ボルト軸７ａにボルト頭７ａを備えた出没調節ボルト７を、前記長孔遮蔽板９の内側から前記長孔遮蔽板９のボルト拘束孔９ａ、スライドカバー３のスライド長孔１０及びサイドカバー２のボルト固定孔１３に順に貫挿させて、前記サイドカバー２の上側に突出したボルト軸７ａに座金１４を介して蝶ナット８を螺着する。
この結果、前記ボルト軸７ａに螺着した蝶ナット８を緩めることでサイドカバー２からスライドカバー３がスライドして出没可能となり、蝶ナット８を締め付けることで、スライドカバー３、３を任意の突出位置でサイドカバー２に固定することが可能となる。
そして、図４に示すように、該スライドカバー３を外側（図４では左側を大きく広げた状態を示す）にスライドさせて、前記サイドカバー２とスライドカバー３の下側の空間を広げることで、ロータリ３１の耕耘爪３２の外側に掻き上げた土を多く拡散させることが可能となる。
なお、前記ボルト固定孔１３はサイドカバー２、２の外端部寄り部位ではなく、反対側の内端部寄り部位に設けると、出没調節ボルト７をスライド長孔１０に十分に往復させることができないので好ましくない。
又、出没調節ボルト７はフランジボルトを用いれば前記スライド長孔１０に対して広いフランジ面でのより安定的な押さ付けができる。
【００２９】
又、前記スライドカバー３の内面には、図６及び図７に示すように、ボルト頭７ｂで下から押さえられた前記長孔遮蔽板９を前記スライド長孔１０の長手方向へのみスライド可能に拘束して左右方向にスライド可能なガイド段差１２を形成する。
そして、前記スライドカバー３のスライド長孔１０の周囲を前記長孔遮蔽板９がスライドして接触可能となるガイド段差１２内を平坦面１１に形成する。
【００３０】
通常、湾曲したサイドカバー２に対して湾曲したスライドカバー３を湾曲面同士でスライドさせようとすると、上下方向や前後方向に振れが発生し易くなり、安定的にスライドさせることが難しくなる。特に前後方向の振れは、僅かでも触れが発生するとサイドカバー２の湾曲面に対してスライドカバー３の湾曲面が傾斜して接触した状態となり、従来の平面同士のスライドとは異なり摩擦抵抗が大きく高まってロックされたようにスライドできなくなることがある。
これに対して、本考案では、スライド固定部６を前側の中間部位と後側の中間部位の前後２箇所に設け、且つ、前記長孔遮蔽板９を前記スライド長孔１０の長手方向にのみスライド可能なガイド段差１２を設けたので、スライドカバーの前後の振れが防止され円滑にスライドしてサイドカバー２から出没可能となる。
【００３１】
又、前記サイドカバー３のボルト固定孔１３は、細長く形成する場合と前記出没調節ボルト７とほぼ同径に形成する場合とが可能である。
図４に示すボルト固定孔１３はスライドカバー３のスライド長孔１０の長さ方向と同方向に細長く形成した形態を示している。
この形態では、図７に示すとように、ボルト固定孔１３が長いので、出没調節ボルト７に対してその長さ分余計にサイドカバー２がスライド可能となる。
即ち、図７の（ハ）に示すように、全体では該ボルト固定孔１３の長さ分のスライド幅と、スライド長孔１０の長さ分のスライド幅とは合算されてスライドカバー３が外側により大幅に突出可能となる。
【００３２】
なお、図７は長いボルト固定孔１３を備えたスライド固定部６をスライドカバー３の下から見たサイドカバー２とスライドカバー３の一部を示す斜視図であり、同図７の（イ）はスライドカバー３がサイドカバー２下に没している状態を示し、（ロ）は出没調節ボルト７がボルト固定孔１３をスライドしていない状態で、スライドカバー３の外端部３ａがサイドカバー２の外端部２ａから最大突出した状態を示し、（ハ）は更に出没調節ボルト７がボルト固定孔１３をスライドしてスライドカバー３の外端部３ａがサイドカバー２の外端部２ａから最大に突出した状態を示す。
【００３３】
前記スライドカバー３を大きく出没可能とするためにスライドカバー３の全長に亘ってスライド長孔１０を長く形成すると、前記長孔遮蔽板９もその長さに応じて長く形成しなければならず、スライド長孔１０を遮蔽するための前記長孔遮蔽板９の外側部分がスライド移動によってスライドカバー３の外端部３ａから外側に突出してしまう場合がある。
これに対して、サイドカバー２のボルト固定孔１３の長さ範囲をサイドカバー２の外端部２ａ寄りの半分のスペースに形成し、スライドカバー３のスライド長孔１０の長さ範囲をスライドカバー３の内端部３ｂ寄り半分のスペースに形成することでスライドカバー３のスライド長孔１０をボルト固定孔１３の長さ分だけ短く形成できるようになる。
その結果、図７に示すように、スライド長孔１０を遮蔽するための長孔遮蔽板９も短くでき、該長孔遮蔽板９の全体をスライドカバー３のスペース内に納めることが可能となる。
【００３４】
又、本考案では、図３に示すように、前記取着部５にヒンジ１６、１６を介してサイドカバー２、２を上下擺動可能に取着とすると共に上下任意の角度に固定可能とする角度調節固定部１５を設ける形態が可能である。
例えば、図５に示すように、前記中央カバー１には、左右にヒンジ１６、１６を介して上下擺動可能に左右のサイドカバー２を連結し、該サイドカバー２には任意の角度αに固定可能とする角度調節固定部１５を設ける。
該角度調節固定部１５は、前記中央カバー１の中央に立設したロッド支柱１７と前記左右のサイドカバー２、２上に夫々固設したロッド連結用フック２０、２０とに架橋された両上下角度調節用ロッド２１、２１の架橋間隔を調節することで左右のサイドカバー２、２の擺動角度を任意の角度αで拘束できるようにしたものである。
【００３５】
この形態では、前記上下角度調節用ロッド２１の一方端部側にはロッド連結用フック２０を差し込むフック差込孔２２を設け、他方端部側に調節固定ネジ１９を差し込んで架橋間隔を調節可能とする角度調節用段差孔２３を設ける。
該角度調節用段差孔２３は、上下角度調節用ロッド２１の長さ方向に調節固定ネジ１９の太さ以上の幅を有する隙間を長く形成し、その長い隙間の上部側の途中に段階的に連続した波形の調節固定ネジ１９を差し込み可能な幅の複数の掛止溝２３ａを形成する。
又、前記ロッド支柱１７には上部に調節固定ネジ１９を差込可能なネジ差込孔１８を設ける。
【００３６】
そして、前記ロッド支柱１７のネジ差込孔１８に挿着した調節固定ネジ１９に前記左右の上下角度調節用ロッド２１の角度調節用段差孔２３を掛け止め、前記サイドカバー２上のロッド連結用フック２０に前記上下角度調節用ロッド２１のフック差込孔２２を差し込む。
この結果、前記中央カバー１の左右にヒンジ１６を介して上下擺動可能となっているサイドカバー２が、任意の掛止溝２３ａに前記調節固定ネジ１９が掛止め固定された上下角度調節用ロッド２１に拘束されて、段階的に任意の角度αで固定される。
なお、図４では、角度調節用段差孔２３は４段階の位置で確実に固定できるように波形の４箇所の掛止溝２３ａを備えた態様を示したが、掛止溝２３ａを備えない自由な位置で固定できる単なる長孔としても良い。
そして、該サイドカバー２、２の外側を大きく傾斜するように上げることで、ロータリ３１の上部の空間を大きく広げて掻き上げた土を周囲に広く拡散させることが可能となる。
【産業上の利用可能性】
【００３７】
本考案のロータリカバー装置は駆動輪の後側にロータリを備えたタイプの耕耘機で説明したが、駆動輪の前側にロータリを備えたタイプの耕耘機に使用することも可能である。
【符号の説明】
【００３８】
１  中央カバー
２  サイドカバー
３  スライドカバー
４  外カバー
５  取着部
５ａ  固定ボルト孔
６  スライド固定部
７  出没調節ボルト
７ａ  ボルト軸
７ｂ  ボルト頭
８  蝶ナット
９  長孔遮蔽板
９ａ  ボルト拘束孔
１０  スライド長孔
１１  平坦面
１２  ガイド段差
１３  ボルト固定孔
１５  角度調節固定部
１６  ヒンジ
１７  ロッド支柱
１８  ネジ差込孔
１９  調節固定ネジ
２０  ロッド連結用フック
２１  角度調節用ロッド
２２  フック差込孔
２３  角度調節用段差孔
２３ａ  掛止溝
２９  固定台
３０  機体
３１  ロータリ
３２  耕耘爪
３２ａ  耕耘爪の先端部
３３  ロータリの回転軸
３４  ミッションケース
Ｒ  スライドカバーの円筒半径
ｒ  耕耘爪の先端部の回転半径
Ｋ  耕耘爪の先端部の回転軌跡
【図１】
0003207476.tif 000003
【図２】
0003207476.tif 000004
【図３】
0003207476.tif 000005
【図４】
0003207476.tif 000006
【図５】
0003207476.tif 000007
【図６】
0003207476.tif 000008
【図７】
0003207476.tif 000009
【図８】
0003207476.tif 000010